(57)【要約】      （修正有）【課題】各種の木材に於いて、木材の中心部から角柱を切削・取り出した後に残存する端材を廃却することなく、この木材資源を有効活用することを可能にした扉の製作技術を提供する。【解決手段】扉９の左側及び右側の縦框９ａ、９ａ、上框９ｂ及び下框９ｃは丸太８から得られた端材をさらに製作して得られる。従ってその表面は丸太が有する自然な木目としての板目９ｄを有するので、各々の左側及び右側の縦框９ａ、９ａ、上框９ｂ及び下框９ｃの表面は、それぞれに異なった自然な木目としての板目９ｄを呈し二つとして同一の木目はない。左側及び右側の縦框９ａ、９ａ、上框９ｂ及び下框９ｃの板厚は例えば４（ｍｍ）である。【選択図】図２
0003138868.tif 000002
【実用新案登録請求の範囲】
【請求項１】
左側及びこれと対称位置に配置された右側のそれぞれの表・裏縦框及び側框と、該表・裏縦框及び側框のそれぞれの内部に嵌入されかつ内部にコア材を挿置した左・右縦枠及び上・下枠でなる構造枠又は単板積層材と、前記左側及び右側の表・裏縦框及び側框との間に上下に固定された表・裏上框及び表・裏下框と、該左側及び右側表・裏縦框と該表・裏上框及び該表・裏下框との間で画成された表・裏面に所定の図柄でなる和紙を貼着した構成でなり、前記左側及び右側の表・裏縦框及び側框、前記表・裏上框及び表・裏下框が各種の木材でなる端材で製作したことを特徴とする端材を利用した扉。
【請求項２】
左側及びこれと対称位置に配置された右側のそれぞれの表・裏縦框及び側框と、該表・裏縦框及び側框のそれぞれの内部に嵌入されかつ内部にコア材を挿置した左・右縦枠及び上・下枠でなる構造枠又は単板積層材と、前記左側及び右側の表・裏縦框及び側框との間に上下に固定された表・裏上框及び表・裏下框と、該左側及び右側表・裏縦框と該表・裏上框及び該表・裏下框との間で画成された表・裏面に所定の図柄でなるクロス紙を貼着した構成でなり、前記左側及び右側の表・裏縦框及び側框、前記表・裏上框及び表・裏下框が各種の木材でなる端材で製作したことを特徴とする端材を利用した扉。
【請求項３】
左側及びこれと対称位置に配置された右側のそれぞれの表・裏縦框及び側框と、該表・裏縦框及び側框のそれぞれの内部に嵌入されかつ内部にコア材を挿置した左・右縦枠及び上・下枠でなる構造枠又は単板積層材と、前記左側及び右側の表・裏縦框及び側框との間に上下に固定された表・裏上框、表・裏下框及び表裏中間框と、該左側及び右側の表・裏縦框間、該表・裏中間框及び該表・裏下框との間で画成された表・裏面に突板を配置した構成でなり、前記左側及び右側の表・裏縦框及び側框、前記表・裏上框、表・裏下框及び表・裏中間框が各種の木材でなる端材で製作したことを特徴とする端材を利用した扉。
【考案の詳細な説明】
【技術分野】
【０００１】
本考案は、杉、檜、西川材等各種の木材の丸太から角柱を製材した残りの端材を板材に加工して扉の枠体等に於ける体裁面の化粧板とするもので、上質な木目と重厚感を備えた端材を利用した扉に関するものである。
【背景技術】
【０００２】
この種の従来の技術では、扉の枠体等の下地材に木目柄を印刷したフィルムを貼り付ける化粧板の技術があった。以下図7（ａ）、（ｂ）を参照し、従来の技術に於ける化粧板からなる扉を説明する。
木質系板１の片方の表面２に化粧展貼物３が貼付されている。そして、該化粧展貼物３が貼付された面と反対の面４に切り欠き部５が形成され、該化粧展貼物３が貼付された面を化粧板の外面６となるように木質系板１の端部７が折り返されている。更に、折り返された木質系板１の端部７は、該化粧展貼物３が貼付された面と反対の面４の一部と接合している。そして、木質系板１の片方の表面２に化粧展貼物３を貼付する。貼付する方法としては、従来の化粧シートを貼付する際に用いられている方法、例えば、接着剤による貼付方法が用いられる。次に、該化粧展貼物３が貼付された面と反対の面４に、木質系板１の端部７の折り返し用の切り欠き部５を形成する。切り欠き部５の形成は、一般にＶカット機、ＮＣルーター、溝付け機等を用いて行うことができる。そして、木質系板１の端部７を折り返して、該化粧展貼物３が貼付された面と反対の面４の一部に接合させる。
【特許文献１】実開平７―１４０８２号公開実用新案公報
【考案の開示】
【考案が解決しようとする課題】
【０００３】
従来の技術は叙上した構成であるので次の課題が存在した。
すなわち、従来の技術では適宜厚さの１枚の木質系板を採用しており各種扉及びクローゼット用扉としては比較的高価であること、さらに木質系板として合板やパーティクルボード、繊維材を使用すれば重量感や高級感に欠けるという問題があった。さらに、各種木材の端材を利用する技術ではなく、端材ごみの廃却を防止することができないという問題点があった。
本考案が解決しようとする課題は、上記背景技術に存在する問題点を解決することにある。
【課題を解決するための手段】
【０００４】
本考案に係る端材を利用した扉は各種の木材に於いて該木材の中心部から角柱を切削・取出した後に残存する端材を廃却することなく、この木材資源を有効活用することを特徴として叙上の問題点を解決すべく考案したものであって、次の構成手段から成立する。
【０００５】
すなわち請求項１記載の考案によれば、左側及びこれと対称位置に配置された右側のそれぞれの表・裏縦框及び側框と、該表・裏縦框及び側框のそれぞれの内部に嵌入されかつ内部にコア材を挿置した左・右縦枠及び上・下枠でなる構造枠又は単板積層材と、前記左側及び右側の表・裏縦框及び側框との間に上下に固定された表・裏上框及び表・裏下框と、該左側及び右側表・裏縦框と該表・裏上框及び該表・裏下框との間で画成された表・裏面に所定の図柄でなる和紙を貼着した構成でなり、前記左側及び右側の表・裏縦框及び側框、前記表・裏上框及び表・裏下框が各種の木材でなる端材で製作したことを特徴とする。
【０００６】
請求項２記載の考案によれば、左側及びこれと対称位置に配置された右側のそれぞれの表・裏縦框及び側框と、該表・裏縦框及び側框のそれぞれの内部に嵌入されかつ内部にコア材を挿置した左・右縦枠及び上・下枠でなる構造枠又は単板積層材と、前記左側及び右側の表・裏縦框及び側框との間に上下に固定された表・裏上框及び表・裏下框と、該左側及び右側表・裏縦框と該表・裏上框及び該表・裏下框との間で画成された表・裏面に所定の図柄でなるクロス紙を貼着した構成でなり、前記左側及び右側の表・裏縦框及び側框、前記表・裏上框及び表・裏下框が各種の木材でなる端材で製作したことを特徴とする。
【０００７】
請求項３記載の考案によれば、左側及びこれと対称位置に配置された右側のそれぞれの表・裏縦框及び側框と、該表・裏縦框及び側框のそれぞれの内部に嵌入されかつ内部にコア材を挿置した左・右縦枠及び上・下枠でなる構造枠又は単板積層材と、前記左側及び右側の表・裏縦框及び側框との間に上下に固定された表・裏上框、表・裏下框及び表裏中間框と、該左側及び右側の表・裏縦框間、該表・裏中間框及び該表・裏下框との間で画成された表・裏面に突板を配置した構成でなり、前記左側及び右側の表・裏縦框及び側框、前記表・裏上框、表・裏下框及び表・裏中間框が各種の木材でなる端材で製作したことを特徴とする。
【考案の効果】
【０００８】
本考案に係る端材を利用した扉は叙上の構成を有するので次の効果がある。
すなわち、扉の外形寸法にほぼ等しい単板積層材等からなる構造体とその構造体の内側に軽量かつ廉価なコア材を配置し、構造体の表裏面を薄い合板で被覆したことにより各種扉及びクローゼット用扉として廉価で軽量な扉を提供できるという効果があり、該扉の框として各種木材の端材から製作した比較的廉価な無垢の薄板を接着することにより、無垢板による重量感と高級感のある木目を外観に備えた扉を提供できるという効果がある。さらに従来は廃棄していた端材を有効利用することができるので、製材工程に於ける廃棄物の減量が可能となる効果がある。
【考案を実施するための最良の形態】
【０００９】
以下、本考案に係る端材を利用した扉に於ける実施の形態について添付図面に基づき詳細に説明する。
図１は、本考案の端材を利用した扉に利用する端材の材料となる杉、檜、西川材等各種の木材から得る丸太８の水平断面を示す平面図である。森林又は人工林から伐採した各種の木材は枝打ちをした後に所定の長さに切断して丸太８とし、一定期間放置して水分及び樹脂分等抜いてを乾燥させる。乾燥させた丸太８は木材の製材工場に於いて、丸太８の四隅を切り落として木造建築物の柱や梁等に使用する構造材としての角材８Ａを製作する。この製作過程に於いて丸太８の四隅から得られた端材８Ｂ、８Ｂ・・・・から図１に示すようにさらに矩形断面の多数枚の板材８Ｃ、８Ｃ・・・を製作する。
該板材８Ｃ、８Ｃ・・・は丸太８の端材を有効利用しているのでその板の表裏面は両面とも木目としての板目が表出する。杉や檜等から得る板目を有する板材８Ｃ、８Ｃ・・・は木目が美観に優れているので体裁面に使用する板材として大変に有用である。
【００１０】
次に図２に於いて本考案に係る端材を利用した扉について説明する。
図２は本考案に係る端材を利用した扉を示すものであって正面図である。
９は扉であって、扉９は例えば矩形状をなし前記板材８Ｃ、８Ｃ・・・を扉９の框として活用したものである。框とは一般に扉、窓、障子等に於いて周囲の細長い枠体を称するものであって、例えば、扉９の左側及び右側の縦方向に配置した枠体としての框を縦框９ａ、９ａと称し、扉の上側の枠体としての框を上框９ｂと称し、扉の下側の枠体としての框を下框９ｃ、９ｃと称する。図２に於いて扉９は該扉９の商品価値を向上させるために、二枚の下框９ｃ、９ｃを備えているが一枚であってもよい。図２に於いて扉９の左側及び右側の縦框９ａ、９ａ、上框９ｂ及び下框９ｃは前記の丸太８から得られた端材８Ｂをさらに製作して得られる。従ってその表面は丸太８が有する自然な木目としての板目９ｄを有するので、各々の左側及び右側の縦框９ａ、９ａ、上框９ｂ及び下框９ｃの表面は、それぞれに異なった自然な木目としての板目９ｄを呈し二つとして同一の木目はない。左側及び右側の縦框９ａ、９ａ、上框９ｂ及び下框９ｃの板厚は例えば４（ｍｍ）である。この程度の板厚を設けると木端の面積が視覚的に十分に認識可能となり、無垢の材料であることが識別できて扉９の商品価値を向上させることができる。
前記左側及び右側の縦框９ａ、９ａ、上框９ｂ及び下框９ｃを組み合わせて扉９を構成することにより、異なった板目９ｄを有する商品価値の高い扉９を得るが可能となる。
尚、左側及び右側の縦框９ａ、９ａ、上框９ｂ及び下框９ｃ又は下框９ｃで構成した扉９を框扉と称することもある。
【００１１】
１０は和紙等でなる。図２に示す和紙１０は化粧部材であって扉９に於いて扉９の左側及び右側の縦框９ａ、９ａとの間及び上・下框９ｂ、９ｃとの間に囲まれ画成された区画内に糊や接着剤で後述する表側合板１４Ａ、裏側合板１４Ｂの上に貼付ける。
【００１２】
１１は蝶番である。蝶番１１、１１は図２に於いては扉９の一方の縦框９ａの上方と下方の二箇所に図示しない複数の木ねじ等で蝶番１１の２枚の羽根の一方を固定する。蝶番１１の２枚の羽根の他方は図示しない建築物の扉枠等に複数の木ねじ等で固定する。
【００１３】
次に図３及び図４に於いて本考案に係る端材を利用した扉の内部構造等について詳細に説明する。
図３（ａ）は図２の矢視Ａ−Ａ線方向の断面を示す要部断面図であり、図３（ｂ）は図２の矢視Ｂ−Ｂ線方向の断面を示す要部断面図である。また、図４は扉９の構造体９Ａであり、図２に於いて内部の構造体９Ａを示す平面図である。図３（ａ）、（ｂ）について詳しく説明すれば、左側及び右側の表縦框９ａ１、９ａ１、左側及び右側の裏縦框９ａ２、９ａ２、図２に示す表上框９ｂ１、裏上框（図示せず）及び図２に示す表下框９ｃ１、裏下框（図示せず）を取去り、さらに該左側及び右側の縦框９ａ、９ａ、該上框９ｂ及び該下框９ｃ、９の下地を構成する後述する下地材としての表側合板１４Ａ及び裏側合板１４Ｂを取去った図である。これらについて説明し本考案に係る端材を利用した扉の構造を明らかにする。
【００１４】
図４に於いて１２は構造枠であり、構造枠１２は左・右縦枠１２ａ、１２ａと上枠１２ｂと下枠１２ｃを図４に示すように組み合わせてエアタッカーで固定する。構造枠１２を構成する左・右縦枠１２ａ、１２ａ、上枠１２ｂ、下枠１２ｃの材料は単板積層材や集成材等の廉価な材料を使用することができる。１２ｄは扉９が完成した後に施工するノブを固定するためのノブ下地である。ノブ下地１２ｄは左・右縦枠１２ａ、１２ａの内側の所定の位置に接着等で固定する。１３はコア材である。コア材13は段ボール紙等の紙質材料でつくられたもので、図４に示すような長方形を交互に組み合わせた形やハニカム型などがある。コア材13の厚みは構造枠１２の厚みと同一寸法とするか、構造枠１２の厚みに比較して０．３（ｍｍ）程度大きくすなわち厚く設定するのが望ましい。.コア材１３を構成する長方形の各々の内側は中空かつ貫通しており長方形の４辺がダンボール紙状の波型に形成されている。該波型構造により上記厚み方向に圧縮加重が印加されたとき、長方形の各辺が座屈することなく上記厚み方向に高い剛性を得ることができる。コア材１３は構造枠１２の内側に密に設置しコア材13を構成する各々の長方形の端部に接着剤を塗布して、図３（ａ）、（ｂ）に示す裏側合板１４Ｂの内側１４ａまたは構造枠１２の内側１２ｅ、１２ｅ・・・・に接着する。コア材１３は段ボール紙等の紙質材料でつくられたものであるから重量が軽く、湿度変化や乾燥による狂いが生じず、合板１４に接着することで扉９の剛性を向上させることができる。すなわち。後述する合板１４を構造枠１２に釘や接着剤で固定して扉９の構造体を完成した後に、合板１４に扉９の厚み方向に外力を加えたときに合板１４が撓むことを防止し、また扉９の合板１４部分を叩いたときや、扉９の開け閉めのときに図示しない扉枠扉９に衝当したときに合板１４が振動することを防止して、扉９の商品価値を向上させることができる。
【００１５】
合板１４の表側合板１４Ａ、及び裏側合板１４Ｂは共に図４に示す構造枠１２の外側の４辺寸法と同一の大きさを有し、図３（ａ）、（ｂ）に示すとおり、構造枠１２の両面に釘、または接着により固定する。
組立作業手順は裏側合板１４Ｂを構造枠１２に固定してから、コア材１３を構造枠１２と裏側合板１４Ｂで形成された凹部に敷設し接着固定し、さらに構造枠１２に表側合板１４Ａを被覆して固定して扉９の構造体９Ａを完成する。
【００１６】
次に左側及び右側の縦框９ａ、９ａ、上框９ｂ、下框９ｃの組立て手順について説明する。該左側及び右側の縦框９ａ、９ａ、上框９ｂ、下框９ｃは丸太８の端材８Ｂを製作して得られた板材８Ｃを所定の寸法形状にさらに製作加工したものである。図３（ａ）において、前記の扉９の左右の側面部に左側及び右側の側縦框９ａ３、９ａ３を接着剤で接着する。このとき側縦框９ａ３、９ａ３は構造体９Ａの厚み寸法と同一か若干大きくしておく。接着剤が硬化して構造体９Ａに側縦框９ａ３、９ａ３が完全に固着してから、側縦框９ａ３から突出した側縦框９ａ３、９ａ３部分を鉋等で切削除去して構造体９Ａの表側合板１４Ａ、裏側合板１４Ｂの表面と面一になるように仕上げる。
【００１７】
次に、左右の表縦框９ａ１、９ａ１と裏縦框９ａ２、９ａ２を図３（ａ）に示す位置に接着剤を用いて接着する。同様に表上框９ｂ１、裏上框９ｂ２、表下框９ｃ１及び裏下框９ｃ２を図２に示す位置に接着剤を用いて接着する。以上の接着工程で用いる接着剤の好適な例としてボンドニューＣＨ１８等が挙げられる。
さらに、左・右縦框９ａと上・下框９ｂ、９ｃにて画成された表側合板１４Ａ及び裏側合板１４Ｂ露出部分に化粧部材の和紙１０等を貼着して扉９を完成する。
【実施例１】
【００１８】
図５は本考案の実施例１を示すものであって正面図である。
前述した図２に示す実施の形態に係る端材を利用した扉と相違する点は、化粧部材としての和紙１０に代えて洋風のクロス紙１５を用いたことである。左・右縦框９ａと上・下框９ｂ、９ｃは端材を利用しているので前記各框部材を幅広の部材とすることができ、和風、洋風のいずれの意匠にも適合する扉とすることができる。ほかの構成は図２ないし図４に示すものと同一であり、その説明は省略する。
【実施例２】
【００１９】
図６は本考案の実施例２を示すものであって正面図である。
前述した図２に示す実施の形態に係る端材を利用した扉と相違する点は、表裏上・下框９ｂ、９ｃの中間部に中間框１６を配設したことである。中間框も他の框部材と同一の材料すなわち端材を製材した板材を使用する。中間框１６を配置することで扉９の縦框９ａと上・下框９ｂ、９ｃ画成された区画をさらに任意の割合に分割することが可能となり、分割した二つの区画を任意の意匠で仕上げることができる。本実施例２に於いては、下側の表裏の区画に突板１７、１７を貼着し、上側の区画に透明材１８を嵌め込んだ扉としている。ほかの構成は図２ないし図４に示すものと同一であり、その説明は省略する。
【図面の簡単な説明】
【００２０】
【図１】本考案に係る端材を利用した扉の材料となる端材を製作する丸太を示すものであって、丸太の水平断面図である。
【図２】本考案に係る端材を利用した扉の実施の形態を示す図面であって、正面図である。
【図３】図３は図２の断面図を示すものであって、（ａ）は図２に於ける矢視Ａ−Ａ線方向の断面図、（ｂ）は図２に於ける矢視Ｂ−Ｂ線方向の断面図である
【図４】図２に於いて左右の表・裏縦框、表・裏上框及び表・裏下框を取去り、さらに表側合板及び裏側合板を取去った後の本考案に係る端材を利用した扉の構造体を示す正面図である。
【図５】本考案に係る端材を利用した扉の実施例１を示す正面図である。
【図６】本考案に係る端材を利用した扉の実施例２を示す正面図である。
【図７】図７は従来の技術に於ける化粧板からなる扉を示す斜視図であって、（ａ）は扉に成形する前の材料の展開斜視図、（ｂ）は扉に成形した後の斜視図である。
【符号の説明】
【００２１】
８        丸太
８Ａ      角材
８Ｂ      端材
８Ｃ      板材
９        扉
９Ａ      扉の構造体
９ａ      左側の縦框
９ａ      右側の縦框
９ａ１    表縦框
９ａ２    裏縦框
９ａ３    側縦框
９ｂ      上框
９ｂ１    表上框
９ｂ２    裏上框
９ｃ      下框
９ｃ１    表下框
９ｃ２    裏下框
９ｄ      木目としての板目
９ｅ      中框
１０      化粧部材（和紙）
１１      蝶番
１２      構造枠（単板積層材）
１２ａ    左・右縦枠
１２ｂ    上枠
１２ｃ    下枠
１２ｄ    ノブ下地
１３      コア材
１４      合板
１４Ａ    表側合板
１４Ｂ    裏側合板
１４ａ    合板の内側
１５      クロス紙
１６      中間框
１７      突板
１８      透明材
【図１】
0003138868.tif 000003
【図２】
0003138868.tif 000004
【図３】
0003138868.tif 000005
【図４】
0003138868.tif 000006
【図５】
0003138868.tif 000007
【図６】
0003138868.tif 000008
【図７】
0003138868.tif 000009